(57)【要約】【課題】支柱のコマを利用して壁あて材を緊結することができ、かつ壁あて材が常に床付き布枠の下側に設置することができ、足場への設置、解体が容易な壁あて受け材及び壁あて材の提供。【解決手段】楔緊結式足場の支柱に設けられた上段コマまたは下段コマに取り付けることができる楔を２個有する壁あて受け材であって、円管若しくは角管からなる支持管と、この支持管の外面に接して支持管軸方向とは直角の方向に接合された第一の楔と、この支持管の外面に垂直かつ支持管軸方向とは直角の方向に接合された楔取付材の側面に接合された第二の楔からなるとともに、２個の楔の長手方向中心軸が互いに平行になっている壁あて受け材及びそれに圧縮ジャッキを取り付けた壁あて材。【選択図】図１
2008291586.tif 000002
【特許請求の範囲】
【請求項１】
楔緊結式足場の支柱に設けられた上段コマまたは下段コマに取り付けることができる楔を２個有する壁あて受け材であって、円管若しくは角管からなる支持管と、この支持管の外面に接して支持管軸方向とは直角の方向に接合された第一の楔と、この支持管の外面に垂直かつ支持管軸方向とは直角の方向に接合された楔取付材の側面に接合された第二の楔からなるとともに、２個の楔の長手方向の中心軸が互いに平行であることを特徴とする壁あて受け材。
【請求項２】
第一の楔の先細り先端部と第二の楔の先細り先端部が同一方向を向いていることを特徴とする、請求項１に記載の壁あて受け材。
【請求項３】
第一の楔の先細り先端部と第二の楔の先細り先端部が逆方向を向いていることを特徴とする、請求項１に記載の壁あて受け材。
【請求項４】
２個の楔の長手方向の中心軸と楔取付材の中心軸が同一平面上にあることを特徴とする、請求項１から３までのいずれかに記載の壁あて受け材。
【請求項５】
楔取り付け材が金属管であることを特徴とする、請求項１から４までのいずれかに記載の壁あて受け材。
【請求項６】
第一の楔が楔固定材を介して支持管の外面に接合されていることを特徴とする、請求項１から５までのいずれかに記載の壁あて受け材。
【請求項７】
第二の楔が楔固定材を介して楔取り付け材の側面に接合されていることを特徴とする、請求項１から６までのいずれかに記載の壁あて受け材。
【請求項８】
請求項１から７までのいずれかに記載の壁あて受け材と、壁からの距離を一定に保つことができる圧縮ジャッキからなる壁あて材。
【請求項９】
圧縮ジャッキが、雄ネジを外面に有するネジ部と、ネジ部の先端に設けられる壁あて板と、ネジ部を移動させるハンドル部からなることを特徴とする、請求項８に記載の壁あて材。
【発明の詳細な説明】
【技術分野】
【０００１】
本発明は、建築現場等で使用される楔緊結式足場を建物から所定の距離を保つと共に、足場本体が転倒するのを防止するために使用される壁あて受け材及び壁あて材に係り、さらに詳しくは足場の支柱に設けられた上段コマと下段コマのいずれのコマに壁あて受け材を取り付けても、壁あて受け材を常に床付き布枠の下側に設置することが可能な楔緊結式足場用壁あて受け材及び壁あて材に関する。
【背景技術】
【０００２】
建設現場の構造物等の周囲に設置される建設用足場には、建枠に筋違（すじかい）や手摺枠を取り付けてなる「建枠式足場」と、支柱部材やブレース材（斜材ともいう）や手摺部材等の足場構成部材を緊結して組み立ててなる「楔緊結式足場」がある。
【０００３】
本発明は、楔緊結式足場に使用される足場用壁あて受け材及び壁あて材に係るものである。まず、楔緊結式足場について、以下に説明する。
【０００４】
「楔緊結式足場」は、足場構成部材を取り付けるための「コマ」と呼ばれる取付部材が複数個設けられた支柱部材と、端部に楔が取り付けられている手摺部材、ブレース材、腕木部材等からなり、各楔をコマに挿入して足場構成部材を緊結した後、床付き布枠を架け渡すことによって、組み立てられる。
【０００５】
図９に、楔緊結式足場の構造の一例を示す。（ａ）は緊結式足場の正面図、（ｂ）は（ａ）において円Ｐで示された支柱に設けたコマ部分の矢視方向拡大上面図、(ｃ)は（ａ）において円Ｑで示されたコマの周辺の拡大正面図、そして、(ｄ)は楔緊結式足場の右側面図である。
【０００６】
楔緊結式足場は、（ｄ）に示すように、建物１０側に支柱７aが、そして、その反対側に支柱７ｂが、２列になって立設されている。各々の支柱７は、複数のコマ５ａ、５ｂを有する支柱部材２１を縦に継ぎ足すことによって形成されている。（ａ）に示すように建物側（７ａ列）の隣接する支柱７の間には、コマ５ａを介してブレース材２４が取り付けられ、また、コマ５ａを介して作業用手摺２３が取り付けられ、そして、各コマ５ａにおいて楔等で緊結される。さらに、（ｄ）に示すように建物側の支柱７ａ列の支柱と建物とは反対側の支柱７ｂ列の支柱間には、コマ５ａを介して腕木材２５が取り付けられ、コマ５ｂにおいて楔等で緊結され、そして、隣接する腕木材２５の間に、床付き布枠２６を架け渡すことで、１段目の足場が形成される。なお、ブレース材２４は建物とは反対側の支柱７ｂ列の支柱間に取り付ける場合もある。
【０００７】
２段目の足場は、１段目の足場と同様にして形成される。必要に応じて、１段目の足場の支柱７の上端に別途用意した支柱部材２１を縦方向に継ぎ足した上で、ブレース材２４と手摺２３をコマ５ａを介して取り付け、そして、腕木材２５を５ｂを介して取り付け、それぞれ、緊結した後、作業床及び通路として用いられる床付き布枠２６を隣接する腕木材２５の間に架け渡すことによって、形成される。これを順次繰り返すことによって、複数段の楔緊結式足場が形成される。なお、ここでは、足場構成部材のうち、ブレース材２４と手摺２３をコマ５ａを介して取り付け、そして、腕木材２５を５ｂを介して取り付けているが、楔緊結式足場の設置場所によっては、これが逆になって、ブレース材２４と手摺２３をコマ５ｂを介して取り付け、そして、腕木材２５を５ａを介して取り付ける場合もある。
【０００８】
図１０は、建物の周囲に設置された楔緊結式足場の状態を示す平面図である。足場３２は、建物３１から所定の間隔を設けて設置されるが、その間隔を維持し、足場が建物側およびその逆側に転倒することを防止するために壁あて材１８が複数個使用される。
【０００９】
図１１は、図１０に円Ｒで示されるコマ周辺の拡大図であって、楔緊結式足場で従来から用いられている壁あて材の設置状況の一例を示している。（ａ）は建物の面に向かっての正面断面図、そして、（ｂ）はその右側面図である。
【００１０】
ここでは、足場構成部材のうち、腕木材２５は上段のコマ５ａを介して支柱７に取り付けられており、そして、隣接する腕木材（図示せず）との間に床付き布枠２６が架け渡される。そして、下段のコマ５ｂを壁あて材１８の緊結用として使用している。
【００１１】
壁あて材１８は、壁あて受け材と圧縮ジャッキとからなる。圧縮ジャッキ１５は雄ネジを外面に有するネジ部１１と、その先端に設けられた壁あて板１２と、ネジ部を回転させるためのハンドル１４からなる。また、壁あて受け材は、圧縮ジャッキのネジ部１１を内面で支持するための支持管１と、その支持管１の外面に支持管軸方向とは直角の方向に接合された楔３ｂとからなる。圧縮ジャッキ１８のネジ部１１は、足場本体と建物の壁１０間の距離を調整するために使用される。ハンドル１４を回転させることにより、ネジ部１１を前後進させ、壁あて板１２を壁に押圧させ、または離反させることができる。
【００１２】
支持管１の側面に溶接等により固定された楔３ｂは、足場の支柱７に設けられた下段のコマ５ｂに挿入されている。コマ５ａ、５ｂは、各支柱部材に支柱部材を挟んで対向させて上下各２個ずつ溶接等により接合されており、支柱部材は縦方向に継ぎ足されて支柱７を形成するから、各支柱７には一定間隔でコマ５ａ、５ｂが複数箇所において上下２段に設けられている。コマが上下にずらして設けてあるのは、１つの支柱部材に設けられた隣り合うコマと干渉しないようにするためである。したがって、図１０に示すように建物がＡ、Ｂ、Ｃ、Ｄの４面の場合、例えばＡ面側の足場構成部材を緊結するのにコマの上段を使用すれば、Ｂ面側足場では下段のコマ、Ｃ面側足場では上段のコマ、Ｄ面側足場では下段のコマを使用することになる。
【００１３】
図１２は、楔緊結式足場で従来から用いられている壁あて材の設置状況の他の例を示している。図１１と同じく、（ａ）は建物の面に向かっての正面断面図、そして、（ｂ）はその右側面図である。しかしながら、図１１とは逆に、腕木材２５は下段のコマ５ｂを介して支柱７に取り付けられており、そして、隣接する腕木材（図示せず）との間に床付き布枠２６が架け渡される。そして、上段のコマ５ａを壁あて材１８の緊結用として使用している。
【００１４】
ここでは、壁あて材１８は、腕木部材２５に掛け渡された床付き布枠床付き布枠２６よりも上面に設置されることになる。床付き布枠は通路として使用されるものであるから、床付き布枠の上に壁あて材が突出していると歩行中に足を引っ掛けて転倒するという危険性がある。
【００１５】
図１３は、床付き布枠の上に壁あて材が突出しないようにした、従来から用いられている壁あて材の使用状態の一例を示す図であり、図１１及び図１２と同じく、（ａ）は建物の面に向かっての正面断面図、そして、（ｂ）はその右側面図である。腕木材２５は下段のコマ５ｂを介して支柱７に取り付けられており、そして、隣接する腕木材（図示せず）との間に床付き布枠２６が架け渡される。そして、上段コマ５ａは使用しないで、コマの下部の支柱７に壁あて材の支持管１をクランプ２２で固定して、壁あて材が床付き布枠の下側にくるように設置される。
【００１６】
しかし、このような方法では壁あて材の位置が下がり過ぎるため、壁あて材がその下側にある床付き布枠上を歩く作業員の頭に当り危険である。また、上記のようなクランプによる壁あて材の設置は、足場の組み立て作業や解体作業が煩雑になる。
【００１７】
引用文献１には、壁あて材の発明が記載されているが、同文献の図２から明らかなように、壁あて材を上段のコマで緊結した場合には、壁あて材は床付き布枠よりも上側に突出して設置されることになる。
【００１８】
【特許文献１】特開平１１−１００９８９号公報
【発明の開示】
【発明が解決しようとする課題】
【００１９】
本発明は、上記の問題を解決するためになされたものであって、従来から使用されている上段および下段のコマをそのまま利用して壁あて材を足場支柱に緊結することができ、かつ壁あて材が常に床付き布枠の下側に設置でき、設置、解体作業が容易な壁あて受け材及び壁あて材を提供することを目的とする。
【課題を解決するための手段】
【００２０】
本発明者らは、上記目的を解決するために、種々の検討を重ねた結果、次の(a)及び(b)に示す知見を得た。
【００２１】
(a) 上段コマを介して壁あて受け材を足場に緊結した場合でも、壁あて材が床付き布枠の下側に設置できるようにするには、壁あて受け材に設けた下段コマに挿入するための楔以外に、壁あて受け材に上段用の第二の楔を設け、第二の楔を上段コマに挿入したときに、圧縮ジャッキのネジ部支持用の支持管が床付き布枠より下側に配置できるようにすればよいこと。
【００２２】
(b) 上記(a)を達成するためには、圧縮ジャッキのネジ部支持用の円管若しくは角管からなる支持管に、その支持管の外面に接して支持管軸方向とは直角の方向に接合された第一の楔を設けると共に、この支持管の外面に垂直かつ支持管軸方向とは直角の方向に楔取付材を接合し、その楔取付材の側面に第二の楔を設け、これら２個の楔の長手方向の中心軸が互いに平行になるようにすればよい。
【００２３】
本発明はこのような知見に基づきなされたもので、下記の（１）〜（７）の楔緊結式足場用の壁あて受け材並びに下記の（８）及び（９）の楔緊結式足場用の壁あて材を要旨とする。
【００２４】
（１）楔緊結式足場の支柱に設けられた上段コマまたは下段コマに取り付けることができる楔を２個有する壁あて受け材であって、円管若しくは角管からなる支持管と、この支持管の外面に接して支持管軸方向とは直角の方向に接合された第一の楔と、この支持管の外面に垂直かつ支持管軸方向とは直角の方向に接合された楔取付材の側面に接合された第二の楔からなるとともに、２個の楔の長手方向の中心軸が互いに平行である壁あて受け材。
【００２５】
（２）第一の楔の先細り先端部と第二の楔の先細り先端部が同一方向を向いていることを特徴とする、上記（１）の壁あて受け材。
【００２６】
（３）第一の楔の先細り先端部と第二の楔の先細り先端部が逆方向を向いていることを特徴とする、上記（１）の壁あて受け材。
【００２７】
（４）２個の楔の長手方向の中心軸と楔取付材の中心軸が同一平面上にあることを特徴とする、上記（１）から（３）までのいずれかの壁あて受け材。
【００２８】
（５）楔取り付け材が金属管であることを特徴とする、上記（１）から（４）までのいずれかの壁あて受け材。
【００２９】
（６）第一の楔が楔固定材を介して支持管の外面に接合されていることを特徴とする、上記（１）から（５）までのいずれかの壁あて受け材。
【００３０】
（７）第二の楔が楔固定材を介して楔取り付け材の側面に接合されていることを特徴とする、上記（１）から（６）までのいずれかの壁あて受け材。
【００３１】
（８）上記（１）から（７）までのいずれかの壁あて受け材と、壁からの距離を一定に保つことができる圧縮ジャッキからなる壁あて材。
【００３２】
（９）圧縮ジャッキが、雄ネジを外面に有するネジ部と、ネジ部の先端に設けられる壁あて板と、ネジ部を移動させるハンドル部からなることを特徴とする、上記（８）に記載の壁あて材。
【発明の効果】
【００３３】
本発明によれば、楔緊結式足場の支柱に設けられている上段コマを利用して壁あて受け材を緊結しても、壁あて材を常に床付き布枠よりも下側に設置できる壁あて受け材及び壁あて材を提供することができる。また、その設置作業及び解体作業が容易である。
【発明を実施するための最良の形態】
【００３４】
本発明に係る壁あて受け材及び壁あて材を、以下に図面を用いて説明する。なお、本発明は次の実施例に限定されるものではない。
【実施例１】
【００３５】
図１は、本発明の壁あて受け材の一例を示す斜視図である。この壁あて受け材１７は、壁あて材の構成部材の一つである圧縮ジャッキのネジ部を内面で支持するための円管若しくは角管からなる支持管１と、その支持管の外面に接して支持管軸方向（ｃ方向）に対して直角方向（ｚ方向）に接合された第一の楔３ｂと、この支持管の下側外面に垂直かつ支持管軸方向とは直角の方向に接合された楔取付材２の側面に接合された第二の楔３ａからなる。これら２個の楔の長手方向中心軸ｘ及びｚは互いに平行になっており、それら中心軸ｘ、ｚ及び楔取付材２の中心軸ｙは同一平面上にある。このように中心軸が同一平面上にある構成が好ましいが、楔３ｂは１上を左右（矢印方向）のいずれかに多少ずらして接合しても構わない。
【００３６】
第一の楔３ｂは、先細り先端部Ｅ１を下方に向け、他端部Ｅ２で溶接等により支持管１に固定されている。また、第二の楔３ａは、先細り先端部Ｅ１を上方にして他端部Ｅ２で楔取付材２に溶接等で固定されている。すなわち、第一の楔の先細り先端部と第二の楔の先細り先端部が逆方向を向いているが、その理由は後述する。
【００３７】
図２は、図１で示した本発明の壁あて受け材の左側面図（ａ）と正面図（ｂ）である。（ａ）に示すように、楔３ａまたは楔３ｂを支持管１または楔取付材２の側面に溶接固定するには、断面がコの字形の形鋼からなる楔固定材４を介して溶接するのが好ましい。楔を支持管に直接溶接固定してもよいが、支持管外表面が曲面になっているので楔固定材４を用いることにより強固に固定できる。
【００３８】
２つの楔３ａ、３ｂの先細り先端部が逆方向［（ａ）に示す矢印方向］になっているのは以下の理由による。
【００３９】
楔の先細り先端部が逆方向になっているのは、上段コマを介して壁あて受け材を足場の支柱に緊結する場合に、支持管を床付き布枠よりも下側に設置するために、（ａ）に示す状態から壁あて受け材を１８０度回転させて楔３ａを上段コマに挿入して使用するためである。すなわち、楔３ａは上段コマを介して壁あて受け材を足場の支柱に緊結する場合に用い、楔３ｂは下段コマを介して壁あて受け材を支柱に緊結する場合に用いる。
【００４０】
楔３ａを楔取付材２に取付ける際の軸方向の位置は、楔３ａを上段コマに挿入した場合に、支持管１が床付き布枠２６と干渉しなく、その下に配置できる位置とすればよい。例えば、通常使用されているコマの長さ（支柱軸方向の長さ）は４０ｍｍであるが、その場合図２に示す支持管１の中心軸から楔端部Ｅ２の円形部中心までの長さＬが８０ｍｍ以上になるようにすればよい。
【００４１】
図３は、本発明の壁あて受け材及び壁あて材を用いて、壁あて材を下段のコマ５ｂを介して足場の支柱７に緊結した状態を示す図で、（ａ）は左側面図、（ｂ）は正面図である。
【００４２】
本発明の壁あて材は、図３に示すように先端に壁あて板１２を備えたネジ部１１と、それを回転させるためのハンドル１４とを備えた圧縮ジャッキ１５を、上述の壁あて受け材の支持管に取り付けてなる。圧縮ジャッキは、ネジ部を支持管の内面で支持させることにより壁あて材に取り付けられる。
【００４３】
これらの図に示すように、壁あて受け材は楔３ｂにより、下段コマ５ｂを介して足場の支柱７に緊結されているので、壁あて材１８は床付き布枠２６の下側に取り付けることができる。この場合、楔取付材に固定されている楔３ａは、遊んだ状態となっている。
【００４４】
図４は、本発明の壁あて受け材及び壁あて材を用いて、壁あて材１８を上段のコマ５ａを介して足場の支柱７に緊結した状態を示す図で、（ａ）は左側面図、（ｂ）は正面図である。壁あて材は、楔取付材２に固定された楔３ａにより上段コマ５ａを介して緊結されているので、上段コマを壁あて材の緊結用として利用した場合であっても、壁あて材１８は床付き布枠２６の下側に取り付けることができる。このように、楔３ａを使用している場合は、楔３ｂは遊んでいる。
【００４５】
本発明の壁あて材を構成する壁あて板、ネジ部、支持管および楔の形状、寸法や材質は、従来から使用されているものでよい。なお、楔は中実であってもよいが、一般に使用されている鋼板を楔状にプレス成形した横断面がコの字形をした楔が軽量で好適である。
【００４６】
楔取付材は、断面が円形や矩形の中実の棒鋼や鋼管等を用いることができるが、鋼管が好ましい。
【実施例２】
【００４７】
図５は、本発明に係る壁あて受け材の他の例を示す斜視図である。この壁あて受け材１７は、壁あて材の構成部材の一つである圧縮ジャッキのネジ部を内面で支持するための円管若しくは角管からなる支持管１と、その支持管の外面に接して支持管軸方向（ｃ方向）に対して直角方向（ｚ方向）に接合された第一の楔３ｄと、この支持管の上側外面に垂直かつ支持管軸方向とは直角方向に接合された楔取付材２の側面に接合された第二の楔３ｃからなる。これら２個の楔の長手方向中心軸ｘ及びｚは互いに平行になっており、それら中心軸ｘ、ｚ及び楔取付材２の中心軸ｙは同一平面上にある。このように中心軸が同一平面上にある構成が好ましいが、楔３ｄは支持管１上を左右（矢印方向）のいずれかに多少ずらして接合しても構わない。
【００４８】
第一の楔３ｄは、先細り先端部Ｅ１を下方に向け、他端部Ｅ２で支持管２に溶接等で固定されている。また、第二の楔３ｃは、先細り先端部Ｅ１を下方にして他端部Ｅ２で楔取付材２に溶接等で固定されている。すなわち、第一の楔の先細り先端部と第二の楔の先細り先端部が同方向を向いていが、その理由は後述する。
【００４９】
図６は、図５で示した本発明の壁あて受け材の左側面図（ａ）と正面図（ｂ）である。（ａ）に示すように、楔３ｄまたは楔３ｃを支持管１または楔取付材２の側面に溶接固定するには、実施例１と同様に断面がコの字形の形鋼からなる楔固定材４を介して溶接するのが好ましい。楔を支持管に直接溶接固定してもよいが、支持管の外表面が曲面であるので楔固定材４を用いるとより強固に固定ができる。
【００５０】
２つの楔３ｃ、３ｄの先細り先端部が同方向［（ａ）に示す矢印方向］になっているのは以下の理由による。
【００５１】
楔の先細り先端部が同方向になっているのは、上段コマを介して壁あて受け材を支柱に緊結する場合に、支持管を床付き布枠よりも下側に設置するために、壁当て材を（ａ）に示す状態のまま楔３ｃを上段コマに挿入して使用するためである。
【００５２】
すなわち、楔３ａは上段コマを介して壁あて受け材を足場の支柱に緊結する場合に用い、楔３ｂは下段コマを介して壁あて受け材を支柱に緊結する場合に用いる。
【００５３】
楔３ｃを楔取付材２に取付ける際の軸方向の位置は、楔３ｃを上段コマに挿入した場合に、支持管１が床付き布枠１３と干渉しなく、床付き布枠の下に配置できる位置とすればよい。
【００５４】
例えば、通常使用されているコマの長さ（支柱軸方向の長さ）は４０ｍｍであるが、その場合、図６に示す支持管１の中心軸から楔端部Ｅ２の円形部中心までの長さＬが８０ｍｍ以上になるようにすればよい。
【００５５】
次に、本発明に係る壁あて材の他の例を以下に示す。先端に壁あて板１２を備えたネジ部１１と、それを回転させるためのハンドル１４とを備えた圧縮ジャッキ１５を、上述の壁あて受け材の支持管に取り付けてなる。圧縮ジャッキは、ネジ部を支持管の内面で支持させることにより壁あて材に取り付けられる。
【００５６】
図７は、本実施例２の壁あて受け材及び壁あて材を用いて、壁あて材１８を下段コマ５ｂを介して足場の支柱に緊結した状態を示す図で、（ａ）は左側面図、（ｂ）は正面図である。これらの図に示すように壁あて受け材は、楔３ｄにより下段コマ５ｂを介して足場の支柱７に緊結されているので、壁あて材１８は床付き布枠２６の下側に取り付けることができる。この場合、楔取付材に固定されている楔３ｃは、遊んだ状態となっている。
【００５７】
図８は、本実施例２の壁あて受け材及び壁あて材を用いて、壁あて材１８を上段コマ５ａを介して足場の支柱７に緊結した状態を示す図であり、（ａ）は左側面図、（ｂ）は正面図である。壁あて材１８は楔取付材２に接合された楔３ｃにより上段のコマ５ａを介して支柱７に緊結されているので、上段コマを壁あて材の緊結用として利用した場合であっても、壁あて材１８は床付き布枠２６の下側に取り付けることができる。このように、楔３ｃを使用している場合、楔３ｄは遊んだ状態になっている。
【００５８】
本発明の壁あて材を構成する壁あて板、ネジ部、支持管および楔の形状、寸法や材質は、従来から使用されているものでよい。なお、楔は中実であってもよいが、一般に使用されている鋼板を楔状にプレス成形した横断面がコの字形の楔が好適である。楔取付材は、断面が円形や矩形の中実の棒鋼や鋼管等を用いることができる。しかし、軽量の鋼管を用いるのが好ましい。
【産業上の利用可能性】
【００５９】
以上のとおり、本発明によれば、従来の支柱に設けられている上段コマをそのまま利用して壁あて材を緊結しても、壁あて材を常に床付き布枠よりも下方に設置でき、足場への設置、解体作業が容易な壁あて受け材及び壁あて材を提供することができる。
【図面の簡単な説明】
【００６０】
【図１】本発明の壁あて受け材の一例を示す斜視図である。
【図２】本発明の壁あて受け材の左側面図と正面図である。
【図３】本発明の壁あて受け材を用いて、壁あて材を下段のコマを介して足場の支柱に緊結した状態を示す左側面図と正面図である。
【図４】本発明の壁あて受け材を用いて、壁あて材を上段のコマを介して足場の支柱に緊結した状態を示す左側面図と正面図である。
【図５】本発明の壁あて受け材の他の例を示す斜視図である。
【図６】本発明の壁あて受け材の左側面図と正面図である。
【図７】本発明の壁あて受け材を用いて、壁あて材を下段のコマを介して足場の支柱に緊結した状態を示す左側面図と正面図である。
【図８】本発明の壁あて受け材を用いて、壁あて材を上段のコマを介して足場の支柱に緊結した状態を示す左側面図と正面図である。
【図９】楔緊結式足場の構造の一例を示す。
【図１０】建物の周囲に設置された楔緊結式足場の状態を示す平面図である。
【図１１】図１０に円Ｒで示されるコマ周辺の拡大図であって、楔緊結式足場で従来から用いられている壁あて材の設置状況の一例を示している。（ａ）は建物の面に向かっての正面断面図、そして、（ｂ）はその右側面図である。
【図１２】楔緊結式足場で従来から用いられている壁あて材の設置状況の他の例を示している。（ａ）は建物の面に向かっての正面断面図、そして、（ｂ）はその右側面図である。
【図１３】床付き布枠の上に壁あて材が突出しないようにした、従来から用いられている壁あて材の使用状態の一例を示す図であり、（ａ）は建物の面に向かっての正面断面図、そして、（ｂ）はその右側面図である。
【符号の説明】
【００６１】
１  支持管
２  楔取付材
３、３ａ、３ｂ、３ｃ、３ｄ  楔
４  楔固定材
５、５ａ、５ｂ  コマ
６  掴み金具
７、７ａ、７ｂ  支柱
８  楔
１０  壁
１１  ネジ部
１２  壁あて板
１４  ハンドル
１５  圧縮ジャッキ
１７  壁あて受け材
１８  壁あて材
２１  支柱部材
２２  クランプ
２３  手摺
２４  ブレース材
２５  腕木材
２６  床付き布枠
３１  建物
３２  足場
Ｅ１、Ｅ２  端部
【図１】
2008291586.tif 000003
【図２】
2008291586.tif 000004
【図３】
2008291586.tif 000005
【図４】
2008291586.tif 000006
【図５】
2008291586.tif 000007
【図６】
2008291586.tif 000008
【図７】
2008291586.tif 000009
【図８】
2008291586.tif 000010
【図９】
2008291586.tif 000011
【図１０】
2008291586.tif 000012
【図１１】
2008291586.tif 000013
【図１２】
2008291586.tif 000014
【図１３】
2008291586.tif 000015